(57)【要約】  本発明は、差込型コネクタのケーブル引出部に対応した挟込み型ブラケットに関するものであり、当該挟込み型ブラケット（１）は、当該差込型コネクタ（５）のケーブル引出部（４）と接触コンタクトする第１の端部（２）を有し、かつ、当該挟込み型ブラケット（１）は、前記ケーブル引出部（４）と、または、前記差込型コネクタ（５）に接続されたケーブル（９）のケーブル外被と接触コンタクトする第２の端部（３）を有する。前記ケーブル引出部（４）および／または前記接続されたケーブル（９）の一部のみが、前記挟込み型ブラケット（１）のウェブ（１０）によって覆われるように、前記第１の端部（２）は、当該２つのウェブ（１０）を介して前記第２の端部（３）に接続されている。このような構成により、挟込み型ブラケットの構成を特に小さくすることができ、かつ、ケーブルの曲げ角度を約９０°にすることができる。
2016515715.tif 000002
【特許請求の範囲】
【請求項１】
差込型コネクタのケーブル引出部のための挟込み型ブラケットであって、
・前記挟込み型ブラケット（１）は、前記差込型コネクタ（５）のケーブル引出部（４）に接触コンタクトする第１の端部（２）を有し、
・前記挟込み型ブラケット（１）は、前記ケーブル引出部（４）と、または、前記差込型コネクタ（５）に接続されたケーブル（９）と接触コンタクトする第２の端部（３）を有する
挟込み型ブラケットにおいて、
・前記第１の端部（２）は、少なくとも１つのウェブ（１０）を介して前記第２の端部（３）に接続されており、
・前記挟込み型ブラケット（１）は、開放したフレーム状の構造を有する
ことを特徴とする挟込み型ブラケット。
【請求項２】
２つの前記ウェブ（１０）が曲げられて形成されている、
請求項１記載の挟込み型ブラケット。
【請求項３】
前記第１の端部（２）は、正多角形構造（６）または対称的な多角形構造（６）を有する、
請求項１または２記載の挟込み型ブラケット。
【請求項４】
前記第２の端部（３）は弧状部（８）を有し、
前記弧状部（８）内に、前記接続されたケーブル（９）のケーブル外被が挿入可能である、
請求項１から３までのいずれか１項記載の挟込み型ブラケット。
【請求項５】
前記差込型コネクタ（５）の主対称軸（Ｈ）と前記ケーブル引出部の方向（Ｋ）とが成す角度（α）は、３０°から１２０°までの間である、
請求項１から４までのいずれか１項記載の挟込み型ブラケット。
【請求項６】
前記差込型コネクタ（５）の主対称軸（Ｈ）と前記ケーブル引出部の方向（Ｋ）とが成す角度（α）は、４５°から９０°までの間である、
請求項１から５までのいずれか１項記載の挟込み型ブラケット。
【請求項７】
前記挟込み型ブラケット（１）は、当該挟込み型ブラケット（１）を紛失防止するように前記ケーブル引出部（４）に固定するための第１の固定手段（１１）を有する、
請求項１から６までのいずれか１項記載の挟込み型ブラケット。
【請求項８】
前記挟込み型ブラケット（１）は、当該挟込み型ブラケット（１）を紛失防止するように前記ケーブル（９）に固定するための第２の固定手段（１１）を有する、
請求項１から７までのいずれか１項記載の挟込み型ブラケット。
【請求項９】
前記挟込み型ブラケットはプラスチックから、有利には低温変形可能なプラスチックから製造されている、
請求項１から８までのいずれか１項記載の挟込み型ブラケット。
【請求項１０】
前記挟込み型ブラケット（１）は金属から製造されている、
請求項１から８までのいずれか１項記載の挟込み型ブラケット。
【請求項１１】
請求項１記載の挟込み型ブラケットを備えた差込型コネクタ。
【請求項１２】
前記差込型コネクタは、ケーブル張力緩和部を組み込んだケーブル引出部（４）を有し、
前記ケーブル引出部（４）は、正多角形構造または対称的な多角形構造（７）を有する、
請求項１１記載の差込型コネクタ。
【請求項１３】
前記差込型コネクタ（５）は、差込型光コネクタである、
請求項１１または１２記載の差込型コネクタ。
【発明の詳細な説明】
【技術分野】
【０００１】
本発明は、請求項１の上位概念に記載の、差込型コネクタのケーブル引出部に対応した挟込み型ブラケットに関する。本発明はさらに、請求項１２に記載の、上記構成の挟込み型ブラケットを固定するのに適した差込型コネクタにも関する。
【０００２】
挟込み型ブラケットは、差込型コネクタに接続されたケーブルを、差込型コネクタ筐体から離れていく所定の方向に曲げ、その曲げ方向を固定するために必要なものである。たとえばスイッチキャビネットおよび／または電気機器では、接続された全てのケーブルを同一方向に延在させるのが有利である。
【背景技術】
【０００３】
従来技術
独国実用新案登録第２０２００７００８９８０号公報に差込型コネクタが記載されており、この差込型コネクタは、筐体ボディに挟み付け可能である別個のケーブル引出口部材を備えている。このケーブル引出口部材内部に、差込型コネクタに接続されたケーブルが延在する。ケーブルが差込型コネクタ筐体から‐ないしはその主対称軸から‐離れていく方向に所定の角度に傾斜するように、前記ケーブル引出口部材は屈曲して形成されている。
【０００４】
ケーブル引出口部材は閉じた構成となっている。というのも、内部では当該多心ケーブルの各個々の導体は、ケーブル保護外被無しで設けられるからである。この構成は、その角度範囲が制限されており、たとえば、曲げ角度を９０°にすることはできない。
【０００５】
また、ケーブル引出口部材は、接続されたケーブルのための張力緩和部を有さなければならないという欠点もある。これによって構成サイズが更に大きくなる。これを解消するのは不便である。
【０００６】
米国特許出願公開第２００４０１２１６４６号明細書に、曲がった溝の形状を有する挟込み型ブラケットが記載されている。米国特許出願公開第２０１００２４７０４１号明細書にも、同等の構成が記載されている。両文献の挟込み型ブラケットは、差込型コネクタ用のいわゆる後付け構成として使用することができる。しかし、この半開放的な幾何学的形態によって、実現可能な角度範囲は限定される。
【０００７】
国際公開第２０１２１３６７０２号に、複数のパーツから成る挟込み型ブラケットが記載されている。このような挟込み型ブラケットの製造は実に複雑であるため、高コストである。この挟込み型ブラケットでも、実現可能な角度範囲は限定される。
【先行技術文献】
【特許文献】
【０００８】
【特許文献１】独国実用新案登録第２０２００７００８９８０号公報
【特許文献２】米国特許出願公開第２００４０１２１６４６号明細書
【特許文献３】米国特許出願公開第２０１００２４７０４１号明細書
【特許文献４】国際公開第２０１２１３６７０２号
【発明の概要】
【発明が解決しようとする課題】
【０００９】
本発明の課題は、コンパクトな構成であり、かつ幅広い角度範囲に適用可能である、差込型コネクタ用の挟込み型ブラケットを実現することである。
【課題を解決するための手段】
【００１０】
前記課題は、請求項１の特徴的構成によって解決される。
【００１１】
従属請求項に本発明の有利な実施形態が記載されている。
【００１２】
挟込み型ブラケットは通常、差込型コネクタに接続されたケーブルを、当該差込型コネクタの主対称軸から離れていく所望の方向に曲げるために、差込型コネクタのケーブル引出部に挟み付けられる。本願にて開示する挟込み型ブラケットは、ケーブル引出部と接触コンタクトする第１の端部を有する。通常、第１の端部はケーブル引出部の下部分に挟み付けられる。
【００１３】
前記挟込み型ブラケットは、同様にケーブル引出部と接触コンタクトする第２の端部を有するが、この第２の端部は、通常はむしろ、接続されたケーブルのケーブル外被と接触コンタクトするように構成されている。第１の端部および第２の端部の互いに異なる空間的座標により、差込型コネクタに接続されたケーブルのいわゆる曲げ角度が決定される。
【００１４】
好適には、第１の端部は２つの個別のウェブを介して第２の端部に接続されている。前記ウェブの、ケーブル引出部側に来る面の方向は、相互に平行である。ケーブル引出部が両ウェブ間において緊密に延在するように、前記ウェブ間の距離は、ケーブル引出部の直径より僅かのみに大きい。
【００１５】
１つの有利な実施形態では、前記２つのウェブは曲がった形状となっている。両ウェブの曲げは等しくされている。ウェブをこのように曲げて形成することにより、挟込み型ブラケットの第１の端部と第２の端部との上述の空間的姿勢を定めることができ、この空間的姿勢が定まることにより、ケーブルの曲げ角を定めることができる。前記ケーブル引出部と、場合によってはケーブルの一部とを、ウェブに差し込んで通すことができる。このような差込みは、挟込み型ブラケットを本発明の開放的な形状にした場合にしか実現することができない。このようにして、ケーブル引出部を比較的大きく曲げて、たとえば９０°曲げて、挟込み型ブラケットの構成が非常に小さくなる。
【００１６】
また、ウェブを曲げずに設けることも可能である。その際には、ウェブが第１の端部の平面から突出する角度が、挟込み型ブラケットの第１の端部および第２の端部の空間的姿勢を定めることになる。
【００１７】
挟込み型ブラケットをケーブル引出部の下部分に嵌合できるようにするため、挟込み型ブラケットの第１の端部は基本的に、円弧にギャップを設けた開放的な円弧として形成されている。このような構成により、挟込み型ブラケットは既製の差込型コネクタにも適合し、事後的に被せることができる。
【００１８】
１つの特に有利な実施形態では、前記円弧の内側に、正多角形構造または対称的な多角形構造が一体成形されている。ケーブル引出部の下部分は、前記正多角形構造または対称的な多角形構造に嵌合する正多角形構造または対称的な多角形構造を有する。挟込み型ブラケットおよびケーブル引出部の上記多角形構造のいわゆるｎ角の数は、相互に整合されている。このような多角形構造により、ケーブル引出部またはケーブル外被の周方向における異なる位置に挟込み型ブラケットを配置することができ、このように配置できることにより、差込型コネクタから離れていくようにケーブルを曲げる方向を定めることができる。よって、挟込み型ブラケットをたとえば機器設置時に、フレキシブルに設置することができる。
【００１９】
有利には、前記挟込み型ブラケットの第２の端部は弧状部として形成されている。この弧状部は、接続されたケーブルのケーブル外被に接触コンタクトして、当該ケーブルを所望の角度位置に押す。
【００２０】
上記にて既に述べたように、挟込み型ブラケットの第１の端部と第２の端部とは、好適には２つのウェブを介して互いに接続されている。その際には、挟込み型ブラケットは全体的に、開放フレーム状の構造を有する。挟込み型ブラケットは明らかに、‐独国実用新案登録第２０２００７００８９８０号のように‐閉じた構成ではない。米国特許出願公開第２００２０１２２６５２号明細書に記載のような、たとえば溝形状の‐半閉鎖的な形状も、明らかに適していない。上述のような開放フレーム状の構造により、挟込み型ブラケットの構成をコンパクトにすることができる。ケーブルを約９０°に離すように曲げることは、上述のようなコンパクトな構成の開放構造でしか実現することができない。このような構成により、スペースが大きくない用途でも挟込み型ブラケットを用いることができる。
【００２１】
差込型コネクタの主対称軸とケーブル引出部方向とが成す角度は、当該差込型コネクタに接続されたケーブルの曲げ角度とも称する。有利には、この角度は３０°から１２０°までの間であるが、特に有利には４５°から９０°までの間である。
【００２２】
有利には挟込み型ブラケットは、当該挟込み型ブラケットをケーブル引出部に紛失防止性に固定するための第１の固定手段を有する。さらに有利なのは、挟込み型ブラケットをケーブル（）に紛失防止性に固定するための第２の固定手段も設けることである。このような構成により、挟込み型ブラケットが不所望に脱落することが無くなり、かつ耐振動性となる。このことは機械分野全体において望まれていることである。前記固定手段は、有利にはいわゆるケーブルバインダである。このケーブルバインダはどのツールボックス内にも存在しているので、常に使用可能である。
【００２３】
１つの特に有利な実施形態では、挟込み型ブラケットはプラスチックから、有利には低温変形可能なプラスチックから製造されたものである。この低温変形可能なプラスチックにより、上述のウェブの曲げを事後的に変化させることができる。このことにより、上述の構成の挟込み型ブラケットのベアリングホルダを簡略化することができる。
【００２４】
また、前記挟込み型ブラケットを金属から製造することも有利である。金属から形成しても、ウェブを曲げることが可能である。
差込型コネクタと挟込み型ブラケットとから成るシステムも、本願の特許請求の範囲の対象である。本発明の挟込み型ブラケットを差込型光コネクタにおいて使用することは特に有利である。ここで接続されたケーブルには、光導波路が包含されており、この光導波路は、構造的に過度に大きな曲げに特に影響を受けやすいことが知られている。本発明の挟込み型ブラケットによって、過度に大きな曲げ負荷を防止することができる。
【００２５】
本発明の基本的思想は、差込型コネクタのケーブル引出部に対応した挟込み型ブラケットに関するものであり、当該挟込み型ブラケット（１）は、当該差込型コネクタ（５）のケーブル引出部（４）と接触コンタクトする第１の端部（２）を有し、かつ、当該挟込み型ブラケット（１）は、前記ケーブル引出部（４）と、または、前記差込型コネクタ（５）に接続されたケーブル（９）のケーブル外被と接触コンタクトする第２の端部（３）を有する。前記ケーブル引出部（４）および／または前記接続されたケーブル（９）の一部のみが、前記挟込み型ブラケット（１）のウェブ（１０）によって覆われるように、前記第１の端部（２）は、当該２つのウェブ（１０）を介して前記第２の端部（３）に接続されている。このような構成により、挟込み型ブラケットの構成を特に小さくすることができ、かつ、ケーブルの曲げ角度を約９０°にすることができる。
【００２６】
図面に本発明の実施例を示しており、以下の記載にてこれらの実施例を詳細に説明する。
【図面の簡単な説明】
【００２７】
【図１】本発明の挟込み型ブラケットの斜視図である。
【図２】本発明の挟込み型ブラケットの別の斜視図である。
【図３】挟込み型ブラケットの側面図である。
【図４】挟込み型ブラケットを上から見た図である。
【図５】差込型光コネクタの斜視図である。
【図６】９０°構成の挟込み型ブラケットを備えつけた差込型光コネクタの斜視図である。
【図７】４５°構成の挟込み型ブラケットを備えつけた差込型光コネクタの斜視図である。
【００２８】
図１から４までに、本発明の挟込み型ブラケット１の可能な実施形態を示す。しかし、本発明はこの具体的な実施形態に限定されない。
【００２９】
挟込み型ブラケット１は第１の端部２を有し、当該第１の端部２は、差込型光コネクタのケーブル引出部４に挟み付け可能である。この第１の端部は基本的に、内側が正多角形構造６である開放的な円弧の形状になっている。
【００３０】
差込型光コネクタ５のケーブル引出部４の下部分も、正多角形構造７を有しており、この正多角形構造７は、挟込み型ブラケット１の多角形構造６に嵌合する。このような構成により、挟込み型ブラケットをケーブル引出部４の周方向における複数の異なる位置に配置することができる。
【００３１】
挟込み型ブラケット１は、基本的に弧状に形成された第２の端部３を有する。この弧状部８は、差込型コネクタ５のケーブル９を当該差込型コネクタ５の主対称軸Ｈから離れていく方向の所望の角度に押すように形成されている。
【００３２】
挟込み型ブラケット１の第１の端部２と第２の端部３とは、２つのウェブ１０を介して互いに接続されている。このウェブ１０は中間部分において曲げられている。ウェブ１０は湾曲して形成されているということもできる。このウェブ１０の曲率によって、差込型コネクタ５の主対称軸Ｈから離れていく方向にケーブルが傾斜する角度αも決定される。
【００３３】
挟込み型ブラケット１の第２の端部３には、ケーブルバインダ１１を受容するように設けられた溝１３が設けられている。
【００３４】
図５に、挟込み型ブラケット１を取り付けることが可能な差込型光コネクタ５を示している。ケーブル引出部４の下部分に設けられた、当該取り付けに必要な正多角形構造７については、上記にて既に説明している。それより上部分において、ケーブル引出部は螺旋状に形成されており、曲げ保護部として機能する。挟込み型ブラケットが無い状態では、主対称軸Ｈとケーブル引出部方向（ケーブル引出部軸）Ｋとは互いに同一平面上にあり、ケーブル９は、主対称軸Ｈから離れていく方向に曲げられてはいない。
【００３５】
図６および７に、挟込み型ブラケット１が挟み付けられた状態の差込型光コネクタ５を示す。差込型光コネクタ５は、信号伝送用の光導波路を含むいわゆるフェルールのための支持部１２を含む。差込型コネクタ５のケーブル引出部方向Ｋと主対称軸Ｈとは、角度αを成している。図６中のウェブ１０の曲率は、図７のウェブ１０の曲率より大きい。図６では角度α＝９０°であり、図７ではα＝４５°である。
【００３６】
挟込み型ブラケット１の第１の端部２は、ケーブルバインダ１１を介して差込型コネクタ５のケーブル引出部４の下部分に固定されている。第２の端部３もケーブルバインダ１１を介して、接続されたケーブル９のケーブル外被に固定されている。
【符号の説明】
【００３７】
１    挟込み型ブラケット
２    第１の端部
３    第２の端部
４    ケーブル引出部
５    差込型光コネクタ
６    正多角形構造
７    正多角形構造
８    弧状部
９    ケーブル
１０  ウェブ
１１  ケーブルバインダ
１２  フェルールのための支持部
１３  溝
Ｈ    主対称軸
Ｋ    ケーブル引出部方向
α    角度
【図１】
2016515715.tif 000003
【図２】
2016515715.tif 000004
【図３】
2016515715.tif 000005
【図４】
2016515715.tif 000006
【図５】
2016515715.tif 000007
【図６】
2016515715.tif 000008
【図７】
2016515715.tif 000009
【国際調査報告】
2016515715.tif 000010
2016515715.tif 000011
2016515715.tif 000012
2016515715.tif 000013